(57)【要約】  【課題】揮発性抗菌剤の添加量を増やし、その結果揮発性抗菌剤の放散濃度が高くなっても、庫内に揮発性抗菌剤特有の刺激臭が充満せず冷蔵庫庫内が臭くならず、揮発性抗菌剤の内容量が少量仕様のものを冷蔵庫使用期間中に数回取り替える必要が生じない冷蔵庫を提供する。  【解決手段】揮発性抗菌剤放散部材９は、抗菌成分粒子と低ガス透過性徐放膜とこの抗菌成分粒子を含浸させるゲル状内容物と外郭部材より構成することで、揮発性抗菌剤放散量の適正化を図り、長寿命仕様の揮発性抗菌剤放散部品の適用を可能にし、冷蔵庫使用期間中、部材交換の必要がない冷蔵庫を提供することができる。【選択図】図１
2008101839.tif 000002
【特許請求の範囲】
【請求項１】
冷蔵庫の冷気通過風路に低ガス透過性の材料よりなる徐放膜と揮発性抗菌成分が溶解されているゲル状内容物と外郭部材よりなる揮発性抗菌剤放散部材を設置することを特徴とする冷蔵庫。
【請求項２】
前記揮発性抗菌剤放散部材は、多層フィルムよりなる徐放膜を有することを特徴とする請求項１に記載の冷蔵庫。
【請求項３】
前記揮発性抗菌剤放散部材は、揮発性抗菌剤の低放散性のゲル状内容物を有することを特徴とする請求項１に記載の冷蔵庫。
【請求項４】
前記揮発性抗菌剤放散部材は、低ガス透過性の材料を用いた外郭部材を有することを特徴とする請求項１に記載の冷蔵庫。
【請求項５】
前記揮発性抗菌剤放散部材は、ガス透過性のないアルミラミネートフィルム材よりなる外郭部材を有することを特徴とする請求項１に記載の冷蔵庫。
【発明の詳細な説明】
【技術分野】
【０００１】
本発明は、冷蔵庫内の抗菌機能を備えた冷蔵庫に関するものである。
【背景技術】
【０００２】
近年、冷蔵庫による低温保存において食品の抗菌、抗カビ性は十分なものではない。冷蔵庫庫内の環境では細菌、カビの増殖速度を低下させるが、増殖を停止するものではない。そのため、従来種々の揮発性抗菌材を樹脂に練りこむ仕様が一般に知られている（例えば、特許文献１参照）。
【０００３】
以下、図面を参照しながら上記従来の冷蔵庫を説明する。
【０００４】
図６は、従来の冷蔵庫の概略断面図である。図において１は揮発性抗菌剤放散部品、２は冷凍室、３は冷蔵室、４は野菜室、５は送風機、６は冷却器、７は冷気風路、８は冷蔵室吐出口である。上記構成により、揮発性抗菌物質が冷蔵庫庫内に放散される仕様となっている。
【特許文献１】特開平１０−３１１６６６号公報
【発明の開示】
【発明が解決しようとする課題】
【０００５】
しかしながら上記従来の構成では、その揮発性抗菌材の放散機能を長寿命化するにはその揮発性抗菌剤の添加量を増やすことが必要であるが、その結果揮発性抗菌剤の放散濃度が高くなり、庫内に揮発性抗菌剤特有の刺激臭が充満し冷蔵庫庫内が臭くなるため、揮発性抗菌剤の内容量が少量仕様のものを冷蔵庫使用期間中に数回取り替える必要が生じるという課題を有していた。
【０００６】
本発明は従来の課題を解決するもので、揮発性抗菌剤の添加量を増加し、また揮発性抗菌剤の放散量を調整することにより長寿命仕様の揮発性抗菌剤放散部品の適用を可能にし、冷蔵庫使用期間中、交換の必要がない冷蔵庫を提供することを目的とする。
【課題を解決するための手段】
【０００７】
上記記載の課題を解決するために、本発明の冷蔵庫は、低ガス透過性の材料を用いた徐放膜を用いることで揮発性抗菌剤の放散量を適正化するという作用を有する。
【０００８】
また、本発明の冷蔵庫は低ガス透過性の材料を用いた外郭部材を用いることで揮発性抗菌剤が外郭部材よりの漏れ出しを防止する作用を有する。
【０００９】
また、本発明の冷蔵庫は、揮発性抗菌剤の溶解性の高い材料よりなるゲル状内容物を用いることで揮発性抗菌材の放散量を適性化するという作用を有する。
【発明の効果】
【００１０】
本発明の冷蔵庫は、揮発性抗菌成分の放散量を適正化することにより、長寿命使用の揮発性抗菌剤放散部品の適用を可能にし、冷蔵庫使用期間中に取替え不要の冷蔵庫を提供することができる。
【発明を実施するための最良の形態】
【００１１】
請求項１に記載の発明は、冷蔵庫の冷気通過風路に低ガス透過性の材料よりなる徐放膜と揮発性抗菌成分が溶解されているゲル状内容物と外郭部材よりなる揮発性抗菌剤放散部材を設置するものであり、揮発性抗菌剤放散量の適正化を図り、長寿命仕様の揮発性抗菌剤放散部品の適用を可能にし、冷蔵庫使用期間中、部材交換の必要がない冷蔵庫を提供することができる。
【００１２】
請求項２に記載の発明は、請求項１に記載の発明において、前記揮発性抗菌剤放散部材は、多層フィルムよりなる徐放膜を有するものであり、揮発性抗菌剤放散量の適正化を図り、長寿命仕様の揮発性抗菌剤放散部品の適用を可能にし、冷蔵庫使用期間中、部材交換の必要がない冷蔵庫を提供することができる。
【００１３】
請求項３に記載の発明は、請求項１記載の発明において、前記揮発性抗菌剤放散部材は、揮発性抗菌剤の低放散性のゲル状内容物を有するものであり、揮発性抗菌剤放散量の適正化を図り、長寿命仕様の揮発性抗菌剤放散部品の適用を可能にし、冷蔵庫使用期間中、部材交換の必要がない冷蔵庫を提供することができる。
【００１４】
請求項４に記載の発明は、請求項１記載の発明において、前記揮発性抗菌剤放散部材は、低ガス透過性の材料を用いた外郭部材を有するものであり、外郭部材からの揮発性抗菌剤の漏れを抑制することで、長寿命仕様の揮発性抗菌剤放散部品の適用を可能にし、冷蔵庫使用期間中、部材交換の必要がない冷蔵庫を提供することができる。
【００１５】
請求項５に記載の発明は、請求項１記載の発明において、前記揮発性抗菌剤放散部材は、ガス透過性のないアルミラミネートフィルム材よりなる外郭部材を有するものであり、外郭部材からの揮発性抗菌剤の漏れを遮断することで、長寿命仕様の揮発性抗菌剤放散部品の適用を可能にし、冷蔵庫使用期間中、部材交換の必要がない冷蔵庫を提供することができる。
【００１６】
以下、本発明の実施の形態について、図面を参照しながら説明する。なお、この実施の形態によってこの発明が限定されるものではない。
【００１７】
（実施の形態１）
図１は、本発明の実施の形態１による冷蔵庫の概略断面図である。図２は図１のＡ部の拡大断面図である。７は冷気通過風路である。９は揮発性抗菌剤放散部材で１０は抗菌成分粒子である。１１は低ガス透過性徐放膜、１２はこの抗菌成分粒子を含浸させるゲル状内容物で、１５は外郭部材である。図３は、本発明の実施の形態１による冷蔵庫の徐放膜の断面図である。
【００１８】
上記構成において、揮発性抗菌剤であるイソシアン酸エステルの徐放量を低ガス透過性徐放膜１１をポリプロピレン薄膜で膜厚を約１．５倍と厚くすることにより、イソシアン酸エステルの所定放出量である１〜１０μｌ／ｃｍ２・ｈ（５℃雰囲気下）を約１０年間保持することができ、冷蔵庫使用期間中、部材交換の必要がない冷蔵庫を提供することができる。
【００１９】
また、本実施の形態では、徐放膜を多層フィルムとすることにより、イソシアン酸エステルの放出量を長期間保持し、かつ徐放膜の強度を高めるために、ポリプロピレン樹脂薄膜１６に不織布１７をラミネートすることで、冷蔵庫を長期使用中に徐放膜が破損する危険を防止することができる。
【００２０】
また、ゲル状内容物１２であるロジンエステルにワックス成分を添加することで、ゲル状が若干固形化することで、内部に溶解しているイソシアン酸エステルが放出されにくくなり、徐放膜とゲル状内容物の間隙のイソシアン酸エステルガス濃度を長寿命仕様でも所定濃度に保持することができ、より安定した放散機能を保持することがでる。
【００２１】
（実施の形態２）
図４は、本発明の実施の形態２による冷蔵庫の揮発性抗菌剤放散部材の概略断面図である。図５は、本発明の実施の形態２による冷蔵庫の揮発性抗菌剤放散部材の外郭部の断面図である。
【００２２】
図において低ガス透過材料を用いた外郭部材１８にはポリエステル樹脂を用いている。
【００２３】
以上のように、低ガス透過性材料として従来のポリプロピレン樹脂よりイソシアン酸エステルガス透過性が約１／１００以下のポリエステル樹脂を用いることにより、抗菌成分が気体となって外郭部材を透過して漏れることを抑制し、長寿命仕様の揮発性抗菌剤放散部品の適用を可能にし、冷蔵庫使用期間中、部材交換の必要がない冷蔵庫を提供することができる。
【００２４】
また、外郭部材にアルミフィルム材１９をラミネートすることにより、イソシアン酸エステルガスの透過を完全に遮断し、また、長期使用中時の外郭部材の破損も防止することができる。
【産業上の利用可能性】
【００２５】
以上のように、本発明にかかる冷蔵庫は、揮発性抗菌剤放散部材より揮発性抗菌成分の放散量を適正化することにより、長寿命使用の揮発性抗菌剤放散部品の適用を可能にし、冷蔵庫使用期間中に取替え不要の冷蔵庫を提供するという効果を有するので、抗菌機能を有する家電製品等の用途にも適用できる。
【図面の簡単な説明】
【００２６】
【図１】本発明の実施の形態１による冷蔵庫の概略断面図
【図２】本発明の実施の形態１による冷蔵庫のＡ部の拡大断面図
【図３】本発明の実施の形態１による冷蔵庫の徐放膜の断面図
【図４】本発明の実施の形態２による冷蔵庫の揮発性抗菌剤放散部材の概略断面図
【図５】本発明の実施の形態２による冷蔵庫の揮発性抗菌剤放散部材の外郭部の断面図
【図６】従来の冷蔵庫の概略断面図
【符号の説明】
【００２７】
７    冷気通過風路
９    揮発性抗菌剤放散部材
１０  抗菌成分粒子
１１  低ガス透過性徐放膜
１２  ゲル状内容物
１５  外郭部材
１６  ポリプロピレン樹脂薄膜
１７  不織布
１８  低ガス透過性材料を用いた外郭部材
１９  アルミフィルム材（アルミラミネートフィルム材）
【図１】
2008101839.tif 000003
【図２】
2008101839.tif 000004
【図３】
2008101839.tif 000005
【図４】
2008101839.tif 000006
【図５】
2008101839.tif 000007
【図６】
2008101839.tif 000008